(57)【要約】【課題】目隙を防止することができると共に、接着剤が分割片の間から溢れ出ることがない床材の実構造を提供することである。【解決手段】一方の分割片２の側端に形成された雄実部４と、他方の分割片３の側端に形成された雌実部６とを係合させる。雄実部４は下方に突出する突出部５を有し、雌実部６は上に開口する凹部７を有する。分割片２と分割片３とが結合された際に、両者の上部側の部位１３，１１ｂが当接し、その下方には空間１５が形成される。空間１５は、突出部５の下端５ａと凹部７の底７ａの間に至っており、空間１５に設けられた接着剤９は、両分割片２、３の上部側の部位１３，１１ｂの間の隙間１６よりも抵抗の少ない空間１５内で拡がり、両分割片２、３の目隙を解消すると共に、隙間１６から接着剤９が溢れ出すことを防止することができる。【選択図】図１
2013044125.tif 000002
【特許請求の範囲】
【請求項１】
隣接する分割片の端部同士を接続して構成する床材の実構造であって、
各分割片における一方の側端近傍には雄実部が設けてあり、他方の側端近傍には雌実部が設けてあり、
前記雄実部は、下方に突出する突出部を有しており、
前記雌実部は、上方に開口する凹部を有しており、
一方の分割片の雄実部と他方の分割片の雌実部とが係合したときに、
前記凹部の底と、突出部の下端とが離間しており、
前記凹部における雌実部の基部側の内側面と、当該内側面と対向する前記突出部の対向面とが所定距離だけ離間しており、
雌実部における凹部の前記内側面よりも上方の部位と、雄実部における突出部の前記対向面よりも上方の部位のうちの少なくともいずれか一方が相手側へ突出していることを特徴とする床材の実構造。
【請求項２】
雌実部における凹部の前記内側面から、雄実部における突出部の前記対向面までの距離が、雄実部の突出部の先端側へいくほど拡がることを特徴とする請求項１に記載の床材の実構造。
【発明の詳細な説明】
【技術分野】
【０００１】
本発明は、複数の分割片を実構造で結合して構成される床材に関するものである。
【背景技術】
【０００２】
複数の分割片を実構造で結合して構成される床材が、例えば本件出願人による特許文献１に開示されている。特許文献１に開示されている床材では、一方の分割片の端部に形成された雄実を、他方の分割片の端部に形成された雌実に係合させ、さらに接着剤で固着している。
【先行技術文献】
【特許文献】
【０００３】
【特許文献１】特開２００８−９５４２４号公報
【発明の概要】
【発明が解決しようとする課題】
【０００４】
ところで、特許文献１に開示されている床材の実構造では、雄実と雌実が、両分割片が離間又は接近する方向に係合している。そのため、両分割片を離間させる外力が両分割片に作用した場合には、特許文献１に開示されている実構造はこの外力に抗することができず、接着剤の接着力に頼るしかなく、結合が非常に不安定であった。
【０００５】
そこで、この外力を実構造で支持するために、実構造を外力と直交する方向に雄実と雌実とを係合させるように構成することが考えられる。このような実構造を採用することにより、両分割片を離間させる方向の外力が両分割片に作用しても、両分割片が離間するのを実構造で良好に防止することができる。
【０００６】
ところが、実構造をこのような形態に構成しても、両分割片の間に目隙（めすき）が生じたり、両分割片を固着する接着剤が塗布時に床材表面から溢れ出たりするという不具合を解消することはできなかった。
【０００７】
そこで本発明は、目隙を防止することができると共に、接着剤が分割片の間から溢れ出ることがない床材の実構造を提供することを目的とする。
【課題を解決するための手段】
【０００８】
上記課題を解決するための請求項１に記載の発明は、隣接する分割片の端部同士を接続する床材の実構造であって、各分割片における一方の側端近傍には雄実部が設けてあり、他方の側端近傍には雌実部が設けてあり、前記雄実部は、下方に突出する突出部を有しており、前記雌実部は、上方に開口する凹部を有しており、一方の分割片の雄実部と他方の分割片の雌実部とが係合したときに、前記凹部の底と、突出部の下端とが離間しており、前記凹部における雌実部の基部側の内側面と、当該内側面と対向する前記突出部の対向面とが所定距離だけ離間しており、雌実部における凹部の前記内側面よりも上方の部位と、雄実部における突出部の前記対向面よりも上方の部位のうちの少なくともいずれか一方が相手側へ突出していることを特徴とする床材の実構造である。
【０００９】
請求項１の発明では、凹部における雌実部の基部側の内側面と、当該内側面と対向する前記突出部の対向面とが所定距離だけ離間しており、雌実部における凹部の前記内側面よりも上方の部位と、雄実部における突出部の前記対向面よりも上方の部位のうちの少なくともいずれか一方が相手側へ突出している。そのため両分割片は、雌実部における凹部の内側面よりも上方の部位と、雄実部における突出部の対向面よりも上方の部位が当接し、その下方には空間が形成される。
【００１０】
両分割片を固着する接着剤は、この空間内に充満する。また、雌実部の凹部の底と、雄実部の突出部の下端とが離間しているので、接着剤は、凹部の底と突出部の下端の間の空間内にも侵入可能である。すなわち従来の構成では、両分割片を固着する接着剤の量が多いと、両分割片の間から溢れ出てしまうという不具合があったが、請求項１の発明では、接着剤を過剰に供給しても、余剰の接着剤は、雌実部の内側面と雄実部の対向面の間の空間と、雌実部の凹部の底と雄実部の突出部の下端の間の空間に収容することができ、両分割片の間から溢れ出る事態を防止することができる。
【００１１】
請求項２の発明は、雌実部における凹部の前記内側面から、雄実部における突出部の前記対向面までの距離が、雄実部の突出部の先端側へいくほど拡がることを特徴とする請求項１に記載の床材の実構造である。
【００１２】
請求項２の発明では、雌実部における凹部の前記内側面から、雄実部における突出部の前記対向面までの距離が、雄実部の突出部の先端側へいくほど拡がるので、凹部の内側面と突出部の対向面の間に形成される空間の容積がより大きくなる。そのため、余剰の接着剤を収容し易く、両分割片の間から接着剤が溢れ出ることを防止することができる。
【発明の効果】
【００１３】
本発明の床材の実構造によれば、隣接する両分割片の間の目隙を防止すると共に、両分割片の間から接着剤が溢れ出ることを防止することができる。
【図面の簡単な説明】
【００１４】
【図１】床材における一方の分割片の雄実部と他方の分割片の雌実部の部分拡大図であり、（ａ）は床に固定された他方の分割片の雌実部に対して、一方の分割片の雄実部を係合させる直前の状態を示し、（ｂ）は（ａ）の状態から他方の分割片の雌実部に一方の分割片の雄実部を係合させた状態を示し、（ｃ）は（ｂ）の状態から両分割片の目隙をなくした状態を示す。
【図２】図１の床材の実構造の変形例を示す部分拡大図であり、（ａ）は床に固定された他方の分割片の雌実部に対して、一方の分割片の雄実部を係合させる直前の状態を示し、（ｂ）は（ａ）の状態から他方の分割片の雌実部に一方の分割片の雄実部を係合させた状態を示す。
【発明を実施するための形態】
【００１５】
以下では、本発明の床材の実構造の実施形態について、図面を参照しながら詳細に説明する。なお、以下の説明は、実施形態の理解を容易にするためのものであり、これによって、本発明が制限して理解されるべきではない。
【００１６】
床材１は、複数の分割片が結合されて形成される。各分割片は同じ構成を有している。従って、以下では分割片２の構成を代表的に説明し、その他の分割片の重複する説明は省略する。
【００１７】
図１（ａ）において分割片２は、その右端側のみが描写されている。分割片２は、板状の部材であり、上面２ａには化粧シート２０が貼着されている。同様に分割片３の上面３ａには化粧シート２１が貼着されている。また分割片２は、右端に雄実部４を有し、左端に雌実部（分割片３に示す雌実部６と同じ）を有する。
【００１８】
分割片２の右端の下部は切り欠かれて、平坦面１２（下向き面）が形成されている。平坦面１２には下方に突出する突出部５が設けられている。突出部５は、平坦面１２の右端側に設けられている。突出部５は、紙面の手前側から奥側へ延びる突条であり、下面５ａ（下端）と側面である対向面５ｂとを有する。
【００１９】
分割片２における突出部５の右側には、右方へ突出する当接対向部１３が設けられている。当接対向部１３は、上面２ａと連続する上向きの傾斜面１３ａと、鉛直向きの当接面１３ｃと、当接面１３ｃと対向面５ｂとをつなぐ下向きの傾斜面１３ｂとを有する。すなわち、当接対向部１３は、右方へ先細り状に延びる縁である。
【００２０】
次に、分割片２の雌実部について、同じ構成を有する分割片３の雌実部６を参照しながら説明する。
【００２１】
分割片２の左端には、上部が切り欠かれて平坦面１４（上向き面）が形成されている。平坦面１４には上に開口する凹部７が設けられている。凹部７は、所定の深さを有するくぼみであり、底７ａを有する。底７ａには、釘８が打ち込まれ、この釘８によって分割片２が床１０に対して固定される。凹部７（雌実部６）の基端部側は、内側面７ｂによって仕切られている。内側面７ｂは鉛直に延び、当接部１１ｂと上向きの傾斜面１１ａを介して上面２ａ（３ａ）と連続している。当接部１１ｂは、内側面７ｂと連続する鉛直面である。
【００２２】
このような構成を有する分割片２、３を接続して床材１を構成する。
【００２３】
まず、他方の分割片である分割片３を床１０上に配置する。そして、雌実部６の凹部７の底７ａに釘８を打ち込み、分割片３を床１０に固定する。この状態で凹部７内に接着剤９を塗布する。接着剤９は、例えばエポキシ樹脂系の接着剤を使用することができる。
【００２４】
次に、図１（ｂ）に示すように、分割片３の雌実部６に対して分割片２の雄実部４を係合させる。その際、分割片２の雄実部４の突出部５は、雌実部６の凹部７内に配置される。また、分割片２（一方の分割片）の雄実部４と、分割片３（他方の分割片）の雌実部６とが係合すると共に、分割片２の当接対向部１３が分割片３の当接部１１ｂに近接又は当接する。その結果、両分割片２、３の間には空間１５が形成される。空間１５は、雄実部４の突出部５の対向面５ｂと、雌実部６の凹部７の内側面７ｂの間から、突出部５の下面５ａと凹部７の底７ａの間にかけて拡がっている。
【００２５】
接着剤９は突出部５に押圧されて拉げ、空間１５内で拡がる。また、図１（ｂ）に示す状態では、当接対向部１３と当接部１１ｂの間に若干の隙間１６が生じているが、接着剤９は、隙間１６から上方へ移動するよりも、抵抗の少ない空間１５内を優先して拡がる。よって、接着剤９が隙間１６から上方へ溢れ出すことがない。ここで隙間１６の幅は、目隙と見なされる幅よりも小さい幅である。
【００２６】
また、分割片２は、当接対向部１３よりも先に分割片３側に当接したり接触する部位がない。そのため、分割片２の当接対向部１３と分割片３の当接部１１ｂとが互いに押圧して、分割片２と分割片３が突き上げ状態とならない限り、分割片２の当接対向部１３を分割片３の当接部１１ｂに当接させることができる。
【００２７】
すなわち、図１（ｂ）に示す隙間１６が生じている状態から、図１（ｃ）に示すように分割片２の位置を右方へ微調整し、当接対向部１３（当接面１３ｃ）を分割片３の当接部１１ｂに容易に当接させることができる。その際には、接着剤９は、空間１５内を拡がるのみであり、当接対向部１３と当接部１１ｂの間から上側へ溢れ出すことはない。
【００２８】
図１（ｃ）に示す状態では、分割片２の傾斜面１３ａと分割片３の傾斜面１１ａによって、溝１７が形成される。分割片２の上面２ａには化粧シート２０が貼着されているが、同様に分割片３の上面３ａにも化粧シート２１が貼着されている。化粧シート２０、２１は溝１７で仕切られて、床材１の表面（上面）に筋が形成され、意匠的効果を奏する。
【００２９】
図２（ａ）に示すように、分割片２の雄実部２４の突出部２５の対向面２５ｂを下向きの傾斜面とし、分割片２と分割片３の間に、図１に示す空間１５よりも容積が大きい空間２３を形成することもできる。下方にのびる突出部２５は、先細り形状を呈しており、その分だけ空間２３は空間１５よりも容積が大きい。そのため、空間１５よりも多量の接着剤９を収容することができる。よって、床材１の表面から接着剤９が溢れ出すことを、より余裕をもって防止することができる。すなわち、同量の接着剤９を使用しても、図１（ｃ）に示す空間１５よりも図２（ｂ）に示す空間２３の方が、接着剤９の収容容積に余裕がある。
【００３０】
図１、図２に示す例では、分割片２の右端に右方へ突出する当接対向部１３を設けているが、分割片３の当接部１１ｂを左方へ突出させてもよい。
【００３１】
以上の説明では、隣接する２つの分割片２と分割片３の結合の仕方を説明したが、床材１は、設置する床１０の広さに応じて必要な数の分割片を順次連結させて構成される。
【符号の説明】
【００３２】
１    床材
２    分割片（一方の分割片）
３    分割片（他方の分割片）
４    雄実部
５    雄実部の突出部
５ａ  下面（下端）
５ｂ  突出部の対向面
６    雌実部
７    雌実部の凹部
７ａ  底
７ｂ  凹部の内側面
８    釘
９    接着剤
１０  床
１１ｂ  当接部（内側面よりも上方の部位）
１３  当接対向部（対向面よりも上方の部位）
【図１】
2013044125.tif 000003
【図２】
2013044125.tif 000004